【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜９９モル％；及び
ｉｉ）１，４−シクロヘキサンジメタノール残基１〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１２０〜２００℃のＴｇを有する乳児ケア用殺菌容器。
【請求項２】
前記ポリエステルのインヘレント粘度が０．３５〜１．０ｄＬ／ｇである請求項１に記載の殺菌容器。
【請求項３】
前記ポリエステルが１２０〜１８０℃のＴｇを有する請求項１に記載の殺菌容器。
【請求項４】
前記ポリエステルのグリコール成分が４０〜７０モル％の２，２，４，４−テトラメチル−１，３−シクロブタンジオール残基及び３０〜６０モル％の１，４−シクロヘキサンジメタノール残基を含む請求項１に記載の殺菌容器。
【請求項５】
前記ジカルボン酸成分が８０〜１００モル％のテレフタル酸残基を含む請求項１に記載の殺菌容器。
【請求項６】
前記ポリエステルが０．１〜２５モル％の１，３−プロパンジオール残基、１，４−ブタンジオール残基又はそれらの混合物を含む請求項１に記載の殺菌容器。
【請求項７】
前記ポリエステルが０．０１〜１５モル％のエチレングリコール残基を含む請求項１に記載の殺菌容器。
【請求項８】
前記２，２，４，４−テトラメチル−１，３−シクロブタンジオール残基が５０モル％より多いシス−２，２，４，４−テトラメチル−１，３−シクロブタンジオール残基と５０モル％未満のトランス−２，２，４，４−テトラメチル−１，３−シクロブタンジオール残基を含む混合物である請求項１に記載の殺菌容器。
【請求項９】
前記２，２，４，４−テトラメチル−１，３−シクロブタンジオールが５０モル％より多いシス−２，２，４，４−テトラメチル−１，３−シクロブタンジオールと５０モル％未満のトランス−２，２，４，４−テトラメチル−１，３−シクロブタンジオールを含む混合物であり且つ前記ジカルボン酸成分が８０〜１００モル％のテレフタル酸残基を含む請求項１に記載の殺菌容器。
【請求項１０】
前記ポリエステル組成物が、ポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル、ポリ（エーテル−ケトン）、ポリアミド、ポリスチレン、ポリスチレンコポリマー、スチレン・アクリロニトリルコポリマー、アクリロニトリル・ブタジエン・スチレンコポリマー、ポリ（メチルメタクリレート）及びアクリルコポリマーから選ばれた少なくとも１種のポリマーを含む請求項１に記載の殺菌容器。
【請求項１１】
前記ポリエステル組成物が少なくとも１種のポリカーボネートを含む請求項１に記載の殺菌容器。
【請求項１２】
前記ポリエステルが少なくとも１種の分岐剤の残基を含む請求項１に記載の殺菌容器。
【請求項１３】
前記ポリエステルが少なくとも１種の分岐剤の残基を、ポリエステルの総重量に基づき、０．０１〜１０重量％の量で含む請求項１に記載の殺菌容器。
【請求項１４】
前記ポリエステルの溶融粘度が、回転メルトレオメーターで２９０℃において１ラジアン／秒で測定した場合に、３０，０００ポアズ未満である請求項１に記載の殺菌容器。
【請求項１５】
前記ポリエステルが１７０℃において１００分より長い半結晶化時間を有する請求項１に記載の殺菌容器。
【請求項１６】
前記ポリエステル組成物が２３℃において１．３ｇ／ｍｌ未満の密度を有する請求項１に記載の殺菌容器。
【請求項１７】
前記ポリエステル組成物が少なくとも１種の熱安定剤又はその反応生成物を含む請求項１に記載の殺菌容器。
【請求項１８】
ＡＳＴＭ  Ｄ−１９２５による前記ポリエステルの黄色度指数が５０未満である請求項１に記載の殺菌容器。
【請求項１９】
前記ポリエステルが、ＡＳＴＭ  Ｄ２５６に従って２３℃においてノッチ１０ｍｉｌで厚さ１／８インチのバーで測定した場合に、少なくとも３ｆｔ−ｌｂｓ／ｉｎのノッチ付きアイゾッド衝撃強度を有する請求項１に記載の殺菌容器。
【請求項２０】
前記ポリエステルが錫化合物又はその反応生成物を含む少なくとも１種の触媒の残基を含む請求項１に記載の殺菌容器。
【請求項２１】
前記殺菌容器が、蒸気殺菌に供してもその形態を保持する請求項１に記載の殺菌容器。
【請求項２２】
前記殺菌容器が射出成形によって形成される請求項１に記載の殺菌容器。
【請求項２３】
前記殺菌容器が哺乳瓶用殺菌容器である請求項１に記載の殺菌容器。
【請求項２４】
（ａ）ｉ）テレフタル酸残基７０〜１００モル％；
ｉｉ）炭素数２０以下の芳香族ジカルボン酸残基０〜２０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜７０モル％；及び
ｉｉ）１，４−シクロヘキサンジメタノール残基３０〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１２０〜１５０℃のＴｇを有する乳児ケア用殺菌容器。
【請求項２５】
前記ポリエステルのインヘレント粘度が０．３５〜０．７５ｄＬ／ｇである請求項１に記載の殺菌容器。
【請求項２６】
前記殺菌容器が、蒸気殺菌に供してもその形態を保持する請求項１に記載の殺菌容器。
【請求項２７】
（ａ）ｉ）テレフタル酸残基７０〜１００モル％；
ｉｉ）炭素数２０以下の芳香族ジカルボン酸残基０〜２０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１２０〜１５０℃のＴｇを有する乳児ケア用殺菌容器。
【請求項２８】
前記殺菌容器が蒸気殺菌に供してもその形態を保持する請求項１に記載の殺菌容器。
【請求項２９】
（ａ）ｉ）テレフタル酸残基７０〜１００モル％；
ｉｉ）炭素数２０以下の芳香族ジカルボン酸残基０〜２０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４５〜６０モル％；及び
ｉｉ）１，４−シクロヘキサンジメタノール残基４０〜５５モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１２０〜１５０℃のＴｇを有する乳児ケア用殺菌容器。
【請求項３０】
前記殺菌容器が蒸気殺菌に供してもその形態を保持する請求項１に記載の殺菌容器。
【手続補正２】
【補正対象書類名】明細書
【補正対象項目名】０２０６
【補正方法】変更
【補正の内容】
【０２０６】
本発明を、本明細書中に開示した実施態様に関して詳述したが、当然のことながら、本発明の精神及び範囲内で変動及び変更が可能である。
態様１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜９９モル％；及び
ｉｉ）１，４−シクロヘキサンジメタノール残基１〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１２０〜２００℃のＴｇを有する乳児ケア用殺菌容器。
態様２．前記ポリエステルのインヘレント粘度が０．３５〜１．０ｄＬ／ｇである態様１に記載の殺菌容器。
態様３．前記ポリエステルのインヘレント粘度が０．３５〜０．７５ｄＬ／ｇである態様１に記載の殺菌容器。
態様４．前記ポリエステルのインヘレント粘度が０．４０〜０．９０ｄＬ／ｇである態様１に記載の殺菌容器。
態様５．前記ポリエステルのインヘレント粘度が０．４２ｄＬ／ｇ超〜０．８０ｄＬ／ｇである態様１に記載の殺菌容器。
態様６．前記ポリエステルのインヘレント粘度が０．４５〜０．７５ｄＬ／ｇである態様１に記載の殺菌容器。
態様７．前記ポリエステルのインヘレント粘度が０．５０〜０．６８ｄＬ／ｇである態様１に記載の殺菌容器。
態様８．前記ポリエステルのインヘレント粘度が０．６０〜０．７２ｄＬ／ｇである態様１に記載の殺菌容器。
態様９．前記ポリエステルが１２０〜１８０℃のＴｇを有する態様１に記載の殺菌容器。
態様１０．前記ポリエステルが１２０〜１６０℃のＴｇを有する態様１に記載の殺菌容器。
態様１１．前記ポリエステルが１２０〜１５０℃のＴｇを有する態様１に記載の殺菌容器。
態様１２．前記ポリエステルが１３０〜１４５℃のＴｇを有する態様１に記載の殺菌容器。
態様１３．前記ポリエステルが１３０〜１４５℃のＴｇを有する態様８に記載の殺菌容器。
態様１４．前記ポリエステルのグリコール成分が４０〜７０モル％の２，２，４，４−テトラメチル−１，３−シクロブタンジオール残基及び３０〜６０モル％の１，４−シクロヘキサンジメタノール残基を含む態様１に記載の殺菌容器。
態様１５．前記ポリエステルのグリコール成分が４０〜６５モル％の２，２，４，４−テトラメチル−１，３−シクロブタンジオール残基及び３５〜６０モル％の１，４−シクロヘキサンジメタノール残基を含む態様１に記載の殺菌容器。
態様１６．前記ポリエステルのグリコール成分が４０〜５５モル％の２，２，４，４−テトラメチル−１，３−シクロブタンジオール残基及び４５〜６０モル％の１，４−シクロヘキサンジメタノール残基を含む態様１に記載の殺菌容器。
態様１７．前記ポリエステルのグリコール成分が４０〜５５モル％の２，２，４，４−テトラメチル−１，３−シクロブタンジオール残基及び４５〜６０モル％の１，４−シクロヘキサンジメタノール残基を含む態様８に記載の殺菌容器。
態様１８．前記ポリエステルのグリコール成分が４０〜５５モル％の２，２，４，４−テトラメチル−１，３−シクロブタンジオール残基及び４５〜６０モル％の１，４−シクロヘキサンジメタノール残基を含む態様１３に記載の殺菌容器。
態様１９．前記ジカルボン酸成分が８０〜１００モル％のテレフタル酸残基を含む態様１に記載の殺菌容器。
態様２０．前記ジカルボン酸成分が９０〜１００モル％のテレフタル酸残基を含む態様１に記載の殺菌容器。
態様２１．前記ジカルボン酸成分が９５〜１００モル％のテレフタル酸残基を含む態様１に記載の殺菌容器。
態様２２．前記ポリエステルが０．１〜２５モル％の１，３−プロパンジオール残基、１，４−ブタンジオール残基又はそれらの混合物を含む態様１に記載の殺菌容器。
態様２３．前記ポリエステルが０．１〜１０モル％の１，３−プロパンジオール残基、１，４−ブタンジオール残基又はそれらの混合物を含む態様１に記載の殺菌容器。
態様２４．前記ポリエステルが０．０１〜１５モル％のエチレングリコール残基を含む態様１に記載の殺菌容器。
態様２５．前記２，２，４，４−テトラメチル−１，３−シクロブタンジオール残基が５０モル％より多いシス−２，２，４，４−テトラメチル−１，３−シクロブタンジオール残基と５０モル％未満のトランス−２，２，４，４−テトラメチル−１，３−シクロブタンジオール残基を含む混合物である態様１に記載の殺菌容器。
態様２６．前記２，２，４，４−テトラメチル−１，３−シクロブタンジオール残基が５５モル％より多いシス−２，２，４，４−テトラメチル−１，３−シクロブタンジオール残基と４５モル％未満のトランス−２，２，４，４−テトラメチル−１，３−シクロブタンジオール残基を含む混合物である態様１に記載の殺菌容器。
態様２７．前記２，２，４，４−テトラメチル−１，３−シクロブタンジオールが５０モル％より多いシス−２，２，４，４−テトラメチル−１，３−シクロブタンジオールと５０モル％未満のトランス−２，２，４，４−テトラメチル−１，３−シクロブタンジオールを含む混合物であり且つ前記ジカルボン酸成分が８０〜１００モル％のテレフタル酸残基を含む態様１に記載の殺菌容器。
態様２８．前記ポリエステル組成物が、ポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル、ポリ（エーテル−ケトン）、ポリアミド、ポリスチレン、ポリスチレンコポリマー、スチレン・アクリロニトリルコポリマー、アクリロニトリル・ブタジエン・スチレンコポリマー、ポリ（メチルメタクリレート）及びアクリルコポリマーから選ばれた少なくとも１種のポリマーを含む態様１に記載の殺菌容器。
態様２９．前記ポリエステル組成物が少なくとも１種のポリカーボネートを含む態様１に記載の殺菌容器。
態様３０．前記ポリエステルが少なくとも１種の分岐剤の残基を含む態様１に記載の殺菌容器。
態様３１．前記ポリエステルが少なくとも１種の分岐剤の残基を、ポリエステルの総重量に基づき、０．０１〜１０重量％の量で含む態様１に記載の殺菌容器。
態様３２．前記ポリエステルの溶融粘度が、回転メルトレオメーターで２９０℃において１ラジアン／秒で測定した場合に、３０，０００ポアズ未満である態様１に記載の殺菌容器。
態様３３．前記ポリエステルが１７０℃において１００分より長い半結晶化時間を有する態様１に記載の殺菌容器。
態様３４．前記ポリエステルが１７０℃において１，０００分より長い半結晶化時間を有する態様１に記載の殺菌容器。
態様３５．前記ポリエステルが１７０℃において１０，０００分より長い半結晶化時間を有する態様１に記載の殺菌容器。
態様３６．前記ポリエステル組成物が２３℃において１．３ｇ／ｍｌ未満の密度を有する態様１に記載の殺菌容器。
態様３７．前記ポリエステル組成物が少なくとも１種の熱安定剤又はその反応生成物を含む態様１に記載の殺菌容器。
態様３８．ＡＳＴＭ  Ｄ−１９２５による前記ポリエステルの黄色度指数が５０未満である態様１に記載の殺菌容器。
態様３９．前記ポリエステルが、ＡＳＴＭ  Ｄ２５６に従って２３℃においてノッチ１０ｍｉｌで厚さ１／８インチのバーで測定した場合に、少なくとも３ｆｔ−ｌｂｓ／ｉｎのノッチ付きアイゾッド衝撃強度を有する態様１に記載の殺菌容器。
態様４０．前記ポリエステルが、ＡＳＴＭ  Ｄ２５６に従って２３℃においてノッチ１０ｍｉｌで厚さ１／４インチのバーで測定した場合に、少なくとも１０ｆｔ−ｌｂｓ／ｉｎのノッチ付きアイゾッド衝撃強度を有する態様１に記載の殺菌容器。
態様４１．前記ポリエステルが錫化合物又はその反応生成物を含む少なくとも１種の触媒の残基を含む態様１に記載の殺菌容器。
態様４２．前記殺菌容器が、蒸気殺菌に供してもその形態を保持する態様１に記載の殺菌容器。
態様４３．前記殺菌容器が射出成形によって形成される態様１に記載の殺菌容器。
態様４４．前記殺菌容器が哺乳瓶用殺菌容器である態様１に記載の殺菌容器。
態様４５．（ａ）ｉ）テレフタル酸残基７０〜１００モル％；
ｉｉ）炭素数２０以下の芳香族ジカルボン酸残基０〜２０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜７０モル％；及び
ｉｉ）１，４−シクロヘキサンジメタノール残基３０〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１２０〜１５０℃のＴｇを有する乳児ケア用殺菌容器。
態様４６．前記ポリエステルのインヘレント粘度が０．３５〜０．７５ｄＬ／ｇである態様４５に記載の殺菌容器。
態様４７．前記ポリエステルのインヘレント粘度が０．４５〜０．７５ｄＬ／ｇである態様４５に記載の殺菌容器。
態様４８．前記ポリエステルのインヘレント粘度が０．５０〜０．６８ｄＬ／ｇである態様４５に記載の殺菌容器。
態様４９．前記ポリエステルのインヘレント粘度が０．６０〜０．７２ｄＬ／ｇである態様４５に記載の殺菌容器。
態様５０．前記ポリエステルが１３０〜１４５℃のＴｇを有する態様４５に記載の殺菌容器。
態様５１．前記殺菌容器が、蒸気殺菌に供してもその形態を保持する態様４５に記載の殺菌容器。
態様５２．（ａ）ｉ）テレフタル酸残基７０〜１００モル％；
ｉｉ）炭素数２０以下の芳香族ジカルボン酸残基０〜２０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１２０〜１５０℃のＴｇを有する乳児ケア用殺菌容器。
態様５３．前記ポリエステルのインヘレント粘度が０．４５〜０．７５ｄＬ／ｇである態様５２に記載の殺菌容器。
態様５４．前記ポリエステルのインヘレント粘度が０．５０〜０．６８ｄＬ／ｇである態様５２に記載の殺菌容器。
態様５５．前記ポリエステルのインヘレント粘度が０．６０〜０．７２ｄＬ／ｇである態様５２に記載の殺菌容器。
態様５６．前記ポリエステルが１３０〜１４５℃のＴｇを有する態様５２に記載の殺菌容器。
態様５７．前記殺菌容器が蒸気殺菌に供してもその形態を保持する態様５２に記載の殺菌容器。
態様５８．（ａ）ｉ）テレフタル酸残基７０〜１００モル％；
ｉｉ）炭素数２０以下の芳香族ジカルボン酸残基０〜２０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４５〜６０モル％；及び
ｉｉ）１，４−シクロヘキサンジメタノール残基４０〜５５モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１２０〜１５０℃のＴｇを有する乳児ケア用殺菌容器。
態様５９．前記ポリエステルのインヘレント粘度が０．４５〜０．７５ｄＬ／ｇである態様５８に記載の殺菌容器。
態様６０．前記ポリエステルのインヘレント粘度が０．５０〜０．６８ｄＬ／ｇである態様５８に記載の殺菌容器。
態様６１．前記ポリエステルのインヘレント粘度が０．６０〜０．７２ｄＬ／ｇである態様５８に記載の殺菌容器。
態様６２．前記ポリエステルが１３０〜１４５℃のＴｇを有する態様５８に記載の殺菌容器。
態様６３．前記殺菌容器が蒸気殺菌に供してもその形態を保持する態様５８に記載の殺菌容器。